(57)【要約】【課題】    ファッション性が高く、自分の嗜好に適ったオリジナルのファッション眼鏡を提供する。【解決手段】  テンプル４を備えた眼鏡において、テンプル４に、利用者の嗜好に適合したビーズ６やチェーン等のアクセサリを交換自在に取り付けた。モダン５をテンプル４に対して取り外し可能とし、ビーズ等のアクセサリをテンプルに嵌めこめるようにするとよい。【選択図】図１
2009116285.tif 000002
【特許請求の範囲】
【請求項１】
テンプルを備えた眼鏡において、
前記テンプルに、利用者の嗜好に適合したビーズやチェーン等のアクセサリを着脱自在に取り付けたことを特徴とするファッション眼鏡。
【請求項２】
前記テンプルの末端からビーズ等を挿入するために、テンプル末端がモダンに対して着脱自在であることを特徴とする請求項１に記載のファッション眼鏡。
【請求項３】
前記テンプルに挿入されたビーズ等が容易に回転しないように、前記テンプルにシリコン等の摩擦増大手段を塗布し、摩擦の増大により、回転を防止するようにしたことを特徴とする請求項１又は２に記載のファッション眼鏡。
【請求項４】
前記テンプルの断面形状を楕円または角構造に形成したことを特徴とする請求項１又は２に記載のファッション眼鏡。
【請求項５】
ビーズ等に回転防止のための凹部を形成し、テンプルの平つぶし部分と嵌合し、回転を防止するようにしたことを特徴とする請求項１又は２に記載のファッション眼鏡。
【請求項６】
ビーズ等のガタつきを防止するために、シリコン製、エラストマー製、バネ等により、ビーズ等に加圧が加わる様に構成したことを特徴とする請求項１又は２に記載のファッション眼鏡。
【請求項７】
ビーズ等を前記テンプルに対して遊嵌してビーズ等とビーズ等との間に隙間が形成できるようにしたことを特徴とする請求項１〜５のいずれかに記載のファッション眼鏡。
【発明の詳細な説明】
【技術分野】
【０００１】  本発明は、テンプルにビーズやチェーン等の種々のアクセサリを取り付けたファッション眼鏡に関する。
【背景技術】
【０００２】  古来、人の上半身を飾る場所、装身具としては、頭にかぶるもの王冠等、首にかける首飾り、耳につけるイヤリング、鼻につける装身具、手首のブレスレット、服につけるブレスレット、指につけるイヤリング等があるが、機能的に必要な眼鏡にビーズ、輝石、宝石、貴金属等装身具を取り付ける事で、古来無い新しい装身具の登場となる。
近年では、眼鏡のテンプル部分にアクセサリを取り付け、ファッション性を高めたファッション眼鏡が種々提案されている（例えば、特許文献１，２，３参照）。
【特許文献１】  特開２００６−８５１１５号公報
【特許文献２】  特開２００６−３０９０９９号公報
【特許文献３】  特開２００３−２４１１５０号公報
【発明の開示】
【発明が解決しようとする課題】
【０００３】  これらは注目に値するものであるが、消費者は、よりファッション性の高い眼鏡や、より自分の嗜好に適った眼鏡、自分オリジナルの眼鏡等を求める傾向にある。本発明はこのような消費者の要求に応えるべくなされものである。
【課題を解決するための手段】
【０００４】  本発明の目的を達成するために、請求項１に記載の発明は、眼鏡のテンプル部分に、利用者の嗜好に適合したビーズやチェーン等のアクセサリを着脱自在に取り付けることができるようにしたファッション眼鏡である。
アクセサリとしては、ビーズやチェーンの他，シルバー、ゴールド等の貴金属、アルミ、チタン、真ちゅう等のパイプ等を挙げることができる（これらを総称して「ビーズ等」と記載することがある）。さらに、アクセサリとして機能するものであれば、樹脂や金属，陶器製のキャラクター製品やその他の装飾品でもよい。【０００５】  請求項２に記載の発明は、テンプルの末端からビーズ等を挿入するために、テンプルに対してモダンが着脱自在である構成としてある。また、テンプルに挿入されたビーズ等が容易に回転しないように、例えば、請求項３に記載するように、テンプルにシリコン等の摩擦増大手段を塗布し、摩擦の増大により、回転を防止するようにしてもよいし、請求項４に記載するようにテンプルの断面形状を楕円または角形状にしてもよい。【０００６】  また、請求項５に記載するように、ビーズ等に凹部を形成してテンプルの平つぶし部分と勘合するようにし、回転を防止するようにしてもよい。さらに、請求項６に記載するように、ビーズ等のガタつきを防止するために、シリコン製、エラストマー製、バネ等により、ビーズ等に一定の加圧が加わる様に構成してもよい。また、ビーズ等の形状のより、髪の毛が引っかかる場合は、ビーズ等をテンプルに対してフリーの状態にして、ビーズ等とビーズ等の間に容易に間隙ができるようにし、髪の毛の引掛かりを防止するようにしてもよい。
【発明の効果】
【０００７】  本発明によれば、眼鏡テンプルを用いてビーズ等を取り付ける事により、当初の眼鏡とは全く変わった雰囲気を持つファッショングラスに変貌させることができる。また、ビーズ等を簡易に取り替える事で、時、所、場合に応じて着替える眼鏡を演出する効果を持つ。そのため、ファッション性が高く、自分の嗜好に適ったオリジナルのファッション眼鏡を容易に得ることができる。
【発明を実施するための最良の形態】
【０００８】  以下、本発明のファッション眼鏡の好適な実施形態を、図面を参照しながら詳細に説明する。
図１は、本発明のファッション眼鏡の一実施形態にかかり、その一部を分解した斜視図である。
図１に示すように、この実施形態のファッション眼鏡は、前枠１と、この前枠１に保持される左右のレンズ２，２と、前枠１の両端に設けられたヒンジ３，３と、このヒンジ３，３を介して前枠１に対して折り畳み自在に取り付けられたテンプル４，４と、このテンプル４，４に芯金４ａ，４ａを介して取り付けられるモダン５，５とを有している。モダン５，５は、テンプル４，４に対して、図１に示すように着脱可能である。【０００９】  アクセサリの一つである複数個のビーズ６は、モダン５，５を外した状態でテンプル４，４に嵌めこまれる。テンプル４，４は、断面が角形状に形成されていて、テンプル４，４の断面と同じ形状の通し孔６ａがビーズ６に貫通形成されている。そのため、テンプル４にビーズ６を嵌めこんだ後は、ビーズ６がテンプル４に対して回転しない。テンプル４の断面形状は上記した角形状に限らず、円形であってもよいが、この場合は、テンプル４にシリコン等の摩擦増大手段を塗布し、摩擦の増大により、回転を防止するようにしてもよいし、ビーズ６に凹部を形成しテンプル４にこれと嵌合する凸部を形成してもよい。【００１０】  なお、図１に示すように、テンプル４のヒンジ３，３近傍にはビーズ６の前進位置を規制するストッパ７を形成してもよい。さらに、テンプル４におけるビーズ６のガタつきを防止するために、シリコン製、エラストマー製、バネ等により、ビーズ６に一定の加圧が加わる様にしてもよい。ただし、ビーズ６，６間に髪の毛が引っかかる場合は、このようなガタつき防止措置は設けずに、ビーズ６をテンプル４に対してフリーの状態にして、ビーズ６，６間に容易に間隙ができるようにするようとよい。【００１１】  本発明の好適な実施形態について説明したが、本発明は上記の実施形態に限定されるものではない。
例えば、テンプルに取り付けるアクセサリはビーズ６に限定されない。例えば、図２〜図７に示すような種々のアクセサリ（図７に示すようなチェーンも含む）に交換することが可能である。また、これ以外にも、シルバー、ゴールド等の貴金属、アルミ、チタン、真ちゅう等のパイプ等、樹脂や金属，陶器製のキャラクター製品やその他の装飾品もアクセサリとして取り付けることが可能である。
【産業上の利用可能性】
【００１２】  本発明は、ビーズやチェーン等のアクセサリを着脱自在に取り付けることができる眼鏡であれば、あらゆる形態及び種類の眼鏡に適用が可能である。
【図面の簡単な説明】
【００１３】
【図１】  本発明のファッション眼鏡の一例にかかり、その一部を分解した斜視図である。
【図２】  本発明のファッション眼鏡の他の一例を示す図である。
【図３】  本発明のファッション眼鏡の他の一例を示す図である。
【図４】  本発明のファッション眼鏡の他の一例を示す図である。
【図５】  本発明のファッション眼鏡の他の一例を示す図である。
【図６】  本発明のファッション眼鏡の他の一例を示す図である。
【図７】  本発明のファッション眼鏡の他の一例を示す図である。
【符号の説明】
【００１４】１      前枠
２      レンズ
３      ヒンジ
４      テンプル
４ａ    芯金
５      モダン
６      ビーズ（アクセサリ）
６ａ    通し孔
７      ストッパ
【図１】
2009116285.tif 000003
【図２】
2009116285.tif 000004
【図３】
2009116285.tif 000005
【図４】
2009116285.tif 000006
【図５】
2009116285.tif 000007
【図６】
2009116285.tif 000008
【図７】
2009116285.tif 000009